(57)【要約】【課題】プリンタの電源装置において、１次側から２次側への変換の際に、パワー電源およびロジック電源をそれぞれ独立してＡＣ−ＤＣ変換し生成させる【解決手段】印字ヘッドを用いて印字を行うプリンタの電源装置において、印字ヘッドにヘッド駆動回路を介して印字用の電力を供給するパワー電源と、ヘッド駆動回路に印字信号を送り制御する制御部に電力を供給するロジック電源とを備え、パワー電源とロジック電源とはAC電源からそれぞれ独立してＡＣ−ＤＣ変換し生成する。【選択図】図１
2012166461.tif 000002
【特許請求の範囲】
【請求項１】
印字ヘッドを用いて印字を行うプリンタにおいて、
前記印字ヘッドにヘッド駆動回路を介して印字用の電力を供給するパワー電源と、前記ヘッド駆動回路に印字信号を送り制御する制御部に電力を供給するロジック電源とを備え、
前記パワー電源と前記ロジック電源とはAC電源からそれぞれ独立してＡＣ−ＤＣ変換し生成したことを特徴とするプリンタ。
【請求項２】
前記パワー電源は、ＡＣ電源にスイッチング回路を介して接続され、このスイッチング回路のオン・オフ動作により、ＡＣ電源側からの電源の供給が制御されることを特徴とする請求項１記載のプリンタ。
【請求項３】
前記ロジック電源は、ＡＣ電源に直接接続され、ＡＣ電源のオン・オフ動作に連動してオン・オフされることを特徴とする請求項１あるいは請求項２記載のプリンタ
【請求項４】
印字ヘッドを用いて印字を行うプリンタの電源装置において、
前記印字ヘッドにヘッド駆動回路を介して印字用の電力を供給するパワー電源と、前記ヘッド駆動回路に印字信号を送り制御する制御部に電力を供給するロジック電源とを備え、
前記パワー電源と前記ロジック電源とはAC電源からそれぞれ独立してＡＣ−ＤＣ変換し生成したことを特徴とするプリンタの電源装置。
【請求項５】
前記パワー電源は、ＡＣ電源にスイッチング回路を介して接続され、このスイッチング回路のオン・オフ動作により、ＡＣ電源側からの電源の供給が制御されることを特徴とする請求項4記載のプリンタの電源装置。
【請求項６】
前記ロジック電源は、ＡＣ電源に直接接続され、ＡＣ電源のオン・オフ動作に連動してオン・オフされることを特徴とする請求項4あるいは請求項5記載のプリンタの電源装置。
【発明の詳細な説明】
【技術分野】
【０００１】
本発明の実施形態はプリンタおよびプリンタの電源装置に関する。
【背景技術】
【０００２】
従来、プリンタの電源装置は、印字ヘッド、ステップモータおよびＤＣモータ等の駆動系へ電源を供給するパワー電源と、制御部、通信部およびセンサ部等のロジック系へ電源を供給するロジック電源とから構成されている。そして、これらの電源は、ＡＣ電源（１次側）からＡＣ−ＤＣ変換してパワー電源（２次側）を生成し、このパワー電源からロジック電源を生成していた。
【先行技術文献】
【特許文献】
【０００３】
【特許文献１】特開平５−４４２７号公報
【発明の概要】
【発明が解決しようとする課題】
【０００４】
しかしながら、この方式では、常に２つの電源（パワー電源とロジック電源）が動作しているため、特にパワー電源の損失が大きく、電源単体での消費が大きいものとなっていた。
【０００５】
そこで、本発明が解決しようとする課題は、プリンタの電源装置において１次側から２次側への変換の際に、パワー電源およびロジック電源をそれぞれ独立してＡＣ−ＤＣ変換し生成させるものである。
【課題を解決するための手段】
【０００６】
実施形態におけるプリンタは、印字ヘッドを用いて印字を行うプリンタにおいて、前記印字ヘッドにヘッド駆動回路を介して印字用の電力を供給するパワー電源と、前記ヘッド駆動回路に印字信号を送り制御する制御部に電力を供給するロジック電源とを備え、前記パワー電源と前記ロジック電源とはＡＣ電源からそれぞれ独立してＡＣ−ＤＣ変換し生成する。
【０００７】
また、実施形態におけるプリンタの電源装置は、印字ヘッドを用いて印字を行うプリンタの電源装置において、前記印字ヘッドにヘッド駆動回路を介して印字用の電力を供給するパワー電源と、前記ヘッド駆動回路に印字信号を送り制御する制御部に電力を供給するロジック電源とを備え、前記パワー電源と前記ロジック電源とはＡＣ電源からそれぞれ独立してＡＣ−ＤＣ変換し生成する。
【図面の簡単な説明】
【０００８】
【図１】実施形態にかかるプリンタの構成を示すブロック図である。
【図２】実施形態にかかるプリンタの電源装置の動作時の処理手順を示すフローチャートである。
【発明を実施するための形態】
【０００９】
以下に添付図面を参照して、実施形態にかかるプリンタおよびプリンタの電源装置を説明する。以下ではバーコードプリンタへの適用例を説明する。
【００１０】
図１は、実施形態にかかるプリンタの構成を示すブロック図である。図１に示すように、プリンタ１はバーコードプリンタであり、電源装置２と、制御部１０と、モータ駆動回路Ａ１１と、ＤＣモータ１２と、モータ駆動回路Ｂ１３と、ステップモータ１４と、ヘッド駆動回路１５と、サーマルヘッド１６と、通信部１７と、センサ部１８とからなる。
【００１１】
そして、電源装置２は、ＡＣ電源３と、トランス４と、スイッチング回路５と、パワー電源６と、ロジック電源７とからなる。このＡＣ電源３はトランス４の一次コイル（図示せず）に接続され、パワー電源６はトランス４の２次コイルＡ（図示せず）にスイッチング回路５を介して接続され、ロジック電源７はトランス４の２次コイルＢ（図示せず）に直接接続されている。
【００１２】
制御部１０は、モータ駆動回路Ａ１１、モータ駆動回路Ｂ１３、ヘッド駆動回路１５およびスイッチング回路５を制御するものであり、ＣＰＵ、Ｉ／Ｏポート、タイマ等で構成されている。モータ駆動回路Ａ１１は、制御部１０から与えられるコントロール信号に応じてインクリボン送り用のＤＣモータ１２へ駆動電流を供給する。モータ駆動回路Ｂ１３は、制御部１０から与えられるコントロール信号に応じて用紙送り用のステップモータ１４へ駆動電流を供給する。ヘッド駆動回路１５は、制御部１０から与えられる印字信号に応じてサーマルヘッド１６に駆動電流を供給する。そして、このサーマルヘッド１６は、ヘッド駆動回路１５の駆動電流によりデータの印字を行う。それから、通信部１７は、外部機器（パソコン等）１９から転送された印字データをインターフェースを介して取り込んでおり、この取り込んだ印字データは制御部１０のメモリ（図示せず）に展開されている。センサ部１８は、赤外線センサ等により構成され、用紙の位置合せや用紙の有無等を検出するものである。
【００１３】
パワー電源６（例えば、ＤＣ２７Ｖ）は、ＤＣモータ１２、ステップモータ１４およびサーマルヘッド１６に電源を供給するものである。ＤＣモータ１２への電源の供給はモータ駆動回路Ａ１１を介して行われ、ステップモータ１４への電源の供給はモータ駆動回路Ｂ１３を介して行われ、サーマルヘッド１６への電源の供給はヘッド駆動回路１５を介して行われる。このパワー電源６は、トランス４の２次コイルＡ（図示せず）にスイッチング回路５を介して接続されており、スイッチング回路５のオン・オフ動作により、ＡＣ電源３及びトランス４側からパワー電源６への電源の供給が制御される。スイッチング回路５は、制御部１０から与えられるコントロール信号に応じてオン・オフ動作を行い、パワー電源６への電源の供給を制御する。
【００１４】
ロジック電源７（例えば、ＤＣ５Ｖ）は、制御部１０、通信部１７、センサ部１８およびスイッチング回路５に電源を供給するものである。このロジック電源７は、トランス４の２次コイルＢ（図示せず）に直接接続されており、ＡＣ電源のオン・オフ動作に連動してオン・オフされる。したがって、ＡＣ電源がオンされている状態では、ロジック電源は常にオンされており、制御部１０、通信部１７、センサ部１８およびスイッチング回路５に対して動作に必要な電源を供給している。
【００１５】
次に、上述したプリンタ１の電源装置２の動作を説明する。図２は、プリンタ１の電源装置２の動作時の処理手順を示すフローチャートである。
【００１６】
先ず、印刷の開始に際して、プリンタ１の電源（ＡＣ電源３）をオンする（ステップＳ２１）。同時にロジック電源７もオンする（ステップＳ２２）。次に、プリンタ１が印字データを受信したか否かを調べる（ステップＳ２３）。プリンタ１の通信部１７が印字データを受信した場合、制御部１０からコントロール信号が出力され、このコントロール信号によりスイッチング回路５はオフからオンに切り替り（ステップＳ２４）、ＡＣ電源３からの電源がパワー電源６に供給され、パワー電源６はオン状態となる（ステップＳ２５）。なお、プリンタ１の通信部１７が印字データを受信しない場合は、印字データの受信の有無を監視しながら待機する（ステップＳ２３）。
【００１７】
次に、ＤＣモータ１２、ステップモータ１４およびサーマルヘッド１６には、パワー電源６からの電源がそれぞれの駆動回路１１，１３，１５を介して供給され、印字が開始される（ステップＳ２６）。そして、プリンタ１の印字が終了すると（ステップＳ２７）、プリンタ１は印刷待機状態となる。この印刷待機状態でプリンタ１通信部１７が印字データを受信した場合は印字が開始される（ステップＳ２８）。そして、所定時間内に印字データの受信がない場合（ステップＳ２９）、制御部１０からコントロール信号が出力され、このコントロール信号によりスイッチング回路５はオンからオフに切り替り（ステップＳ３０）、パワー電源６はオフ状態となる（ステップＳ３１）。そして、印刷の終了に際して、プリンタ１の電源（ＡＣ電源３）をオフすると（ステップＳ３２）、同時にロジック電源７もオフする（ステップＳ３３）。
【００１８】
以上説明したように、上述した実施形態によれば、プリンタ及びプリンタの電源装置において、ＡＣ電源からパワー電源への電源の供給を必要に応じて切り替え遮断するので、懸念であった待機状態にあるパワー電源の損失分を極力抑えることができる。
【００１９】
なお、本発明の実施形態を説明したが、実施形態は例として提示したものであり、発明の範囲を限定することは意図していない。実施形態は、その他の様々な形態で実施されることが可能であり、発明の趣旨を逸脱しない範囲で、種々の省略、置き換え、変更を行うことができる。
【符号の説明】
【００２０】
１    プリンタ
２    電源装置
３    ＡＣ電源
５    スイッチング回路
６    パワー電源
７    ロジック電源
１０  制御部
【図１】
2012166461.tif 000003
【図２】
2012166461.tif 000004